(57)【要約】【課題】分離し難い転写材でもより確実に分離することのできる転写材分離装置を提供する。【解決手段】液体現像剤像が転写される転写材８が圧接されて転写材８とともに移動する転写材移動部材（中間転写ベルト４）と、転写材移動部材とともに移動してくる転写材８の先端部を転写材移動部材から分離する可撓性の転写材分離部材２１と、転写材８を分離する際に転写材分離部材２１を転写材８の先端部と転写材移動部材との間に進入させる転写材分離部材作動機構（回転直線運動機構２８）とを備える転写材分離装置である。【選択図】図７
2009175590.tif 000002
【特許請求の範囲】
【請求項１】
転写材が圧接される転写材移動部材とともに移動してくる前記転写材の先端部を前記転写材移動部材から分離する可撓性の転写材分離部材と、
前記転写材を分離する際に前記転写材分離部材を前記転写材の先端部と前記転写材移動部材との間に進入させる転写材分離部材作動機構と、
を備えることを特徴とする転写材分離装置。
【請求項２】
前記転写材分離部材は可撓性のブラシまたは可撓性のフィルムであることを特徴とする請求項１記載の転写材分離装置。
【請求項３】
前記転写材の分離後に前記転写材の先端部が圧接かつ摺動することで、前記転写材の先端部をクリーニングするクリーニング部材を備えることを特徴とする請求項１または２記載の転写材分離装置。
【請求項４】
前記転写材分離部材作動機構はクランク機構からなることを特徴とする請求項１ないし３のいずれか１記載の転写材分離装置。
【請求項５】
前記転写材移動部材とともに移動する前記転写材の先端にガスを吹き付けることで、前記転写材を前記転写材移動部材から分離する転写材分離ガス装置を備えることを特徴とする請求項１ないし４のいずれか１記載の転写材分離装置。
【請求項６】
液体現像剤像を担持する液体現像剤像担持体に転写材を圧接しかつ前記転写材を前記液体現像剤像担持体とともに移動させることで前記液体現像剤像を前記転写材に転写する転写部材と、
前記液体現像剤像が転写された前記転写材の先端部を前記液体現像剤像担持体から分離する転写材分離装置とを少なくとも備え、
前記転写材分離装置は、前記転写材が圧接される前記液体現像剤像担持体とともに移動してくる前記転写材の先端部を前記液体現像剤像担持体から分離する可撓性の転写材分離部材と、前記転写材を分離する際に前記転写材分離部材を前記転写材の先端部と前記液体現像剤像担持体との間に進入させる転写材分離部材作動機構とを備えることを特徴とする転写装置。
【請求項７】
静電潜像を担持する潜像担持体と、前記静電潜像を液体現像剤で現像して前記潜像担持体上に液体現像剤像を形成する現像装置と、前記潜像担持体上の液体現像剤像を転写媒体に転写する第１の転写装置と、前記転写媒体上の液体現像剤像を、前記転写媒体に圧接されかつ前記転写媒体とともに移動する転写材に転写する第２の転写装置とを少なくとも備え、
前記第２の転写装置は、液体現像剤像を担持する前記転写媒体に転写材を圧接しかつ前記転写材を前記転写媒体とともに移動させることで前記液体現像剤像を前記転写材に転写する転写部材と、前記液体現像剤像が転写された前記転写材の先端部を前記転写媒体から分離する転写材分離装置とを少なくとも備え、
前記転写材分離装置は、前記転写材が圧接される前記転写媒体とともに移動してくる前記転写材の先端部を前記転写媒体から分離する可撓性の転写材分離部材と、前記転写材を分離する際に前記転写材分離部材を前記転写材の先端部と前記転写媒体との間に進入させる転写材分離部材作動機構とを備えることを特徴とする画像形成装置。
【請求項８】
静電潜像を担持する潜像担持体と、前記静電潜像を液体現像剤で現像して前記潜像担持体上に液体現像剤像を形成する現像装置と、前記潜像担持体上の液体現像剤像を、前記潜像担持体に圧接されかつ前記潜像担持体とともに移動する転写材に転写する転写装置とを少なくとも備え、
前記転写装置は、液体現像剤像を担持する前記潜像担持体に転写材を圧接しかつ前記転写材を前記潜像担持体とともに移動させることで前記液体現像剤像を前記転写材に転写する転写部材と、前記液体現像剤像が転写された前記転写材の先端部を前記潜像担持体から分離する転写材分離装置とを少なくとも備え、
前記転写材分離装置は、前記転写材が圧接される前記潜像担持体とともに移動してくる前記転写材の先端部を前記潜像担持体から分離する可撓性の転写材分離部材と、前記転写材を分離する際に前記転写材分離部材を前記転写材の先端部と前記潜像担持体との間に進入させる転写材分離部材作動機構とを備えることを特徴とする画像形成装置。
【発明の詳細な説明】
【技術分野】
【０００１】
本発明は、液体現像剤（液体トナー）像を用いた、例えば複写機、ファクシミリ、プリンター等の電子写真方式の画像形成装置において、液体現像剤像が転写された転写材を転写材移動部材から分離する転写材分離装置、液体現像剤像を転写材に転写する転写装置および画像形成装置に関するものである。
【背景技術】
【０００２】
一般に、液体現像剤（液体トナー）を用いた画像形成装置においては、転写装置で転写材が転写装置の転写媒体に圧接されかつ転写媒体とともに移動することで、転写材に液体現像剤像が転写される。また、定着装置で液体現像剤像が転写された転写材が定着装置の定着部材に圧接されかつ定着媒体とともに移動することで、転写材に液体現像剤像が定着される。
【０００３】
これらの場合、転写材の液体現像剤像側の転写面が、転写媒体あるいは定着部材等の転写材移動部材に圧接される。このように転写材の転写面が転写材移動部材に圧接されると、液体現像剤の特有の性質のため、転写材は転写材移動部材に張り付き易い。このため、液体現像剤像が転写された転写材を転写材移動部材から分離させることは難しい。そこで、従来、転写材移動部材とともに移動してくる転写材の先端にエアを吹き付けることで、転写材の先端部を転写材移動部材から強制的に分離するようにした転写材分離装置を備える画像形成装置が提案されている（例えば、特許文献１参照）。
この特許文献１に記載の転写材分離装置では、吹き付けられるエアが転写材の先端と転写材移動部材との間に進入することで、転写材の先端部を分離するようにしている。
【特許文献１】特許第３１２８０６７号公報。
【発明の開示】
【発明が解決しようとする課題】
【０００４】
前述の特許文献１に記載の転写材分離装置では、画像形成動作時および画像形成動作中には転写材の先端にエアを単に吹き付けているだけである。このため、転写材の分離を確実に行うことは難しい。
また、転写材移動部材から比較的分離し難い転写材の場合には、エアの吹付けのみでは、転写材の分離が効果的に行われない場合が考えられる。
【０００５】
本発明はこのような事情に鑑みてなされたものであって、その目的は、分離し難い転写材でもより確実に分離することのできる転写材分離装置、転写装置および画像形成装置を提供することである。
【課題を解決するための手段】
【０００６】
前述の課題を解決するために、本発明に係る転写材分離装置、転写装置および画像形成装置では、転写材分離部材作動機構により、可撓性の転写材分離部材を転写材の先端部と、転写媒体あるいは潜像担持体等の液体現像剤像担持体である転写材移動部材との間に進入させる。そして、この転写材分離部材の進入により転写材の先端部を転写材移動部材から分離することができる。特に、分離し難い転写材であってもより確実に分離することができるようになる。これにより、転写材が転写材移動部材とともに移動するのを防止でき、転写材を次の搬送位置の方へ確実に移動させることができる。
【０００７】
また、転写材分離部材作動機構をクランク機構とすることで、転写材分離部材の先端部に回転運動と直線運動との複合運動を行わせることができる。この転写材分離部材の複合運動により、転写材分離部材による転写材の分離をより効果的に行うことができる。
【０００８】
更に、転写材の先端部の分離後に、転写材分離部材の先端部をクリーニング部材に圧接かつ摺動させる。このクリーニング部材により、転写材分離部材の先端部に付着する残留トナーやちり等の異物を除去することができる。これにより、転写材分離部材による転写材の分離を長期にわたって確実に行うことができる。特に、転写材分離部材をクランク機構によって作動させることで、転写材の分離作動および転写材分離部材の先端部のクリーニング作動を一連の動作として行うことができる。したがって、転写材の分離および転写材分離部材の先端部のクリーニングをより効率よく行うことができる。
【０００９】
更に、転写材分離ガス装置によりガスを転写材の先端に吹き付けることでも、転写材の先端部を転写材移動部材から分離するようにしている。これにより、前述の転写材分離部材による転写材の分離効果と相俟って、より効果的に転写材の先端部を分離することができる。
【発明を実施するための最良の形態】
【００１０】
以下、図面を用いて本発明を実施するための最良の形態について説明する。
図１は、本発明にかかる転写材分離装置を備えた画像形成装置の実施の形態の一例を模式的にかつ部分的に示す図である。
図１に示すように、この例の画像形成装置１は、タンデムに配置されたイエロー（Ｙ）、マゼンタ（Ｍ）、シアン（Ｃ）およびブラック（Ｋ）の各色の液体現像剤を用いた作像ユニット２Ｙ,２Ｍ,２Ｃ,２Ｋを備えている。ここで、各作像ユニット２Ｙ,２Ｍ,２Ｃ,２Ｋにおいて、２Ｙはイエローの作像ユニット、２Ｍはマゼンタの作像ユニット、２Ｃはシアンの作像ユニット、２Ｋはブラックの作像ユニットを表す。また、他の部材についても同じように、部材の符号にそれぞれ各色のＹ,Ｍ,Ｃ,Ｋを添えて各色の部材を表す。
【００１１】
各作像ユニット２Ｙ,２Ｍ,２Ｃ,２Ｋは、それぞれ、潜像担持体である感光体３Ｙ,３Ｍ,３Ｃ,３Ｋを備えている。各感光体３Ｙ,３Ｍ,３Ｃ,３Ｋは、図１に示す例ではいずれも、感光体ドラムから構成されている。なお、各感光体３Ｙ,３Ｍ,３Ｃ,３Ｋは、無端ベルト状に構成することもできる。
【００１２】
これらの感光体３Ｙ,３Ｍ,３Ｃ,３Ｋは、いずれも作動時に図１に矢印αで示すように時計回りに回転するようにされている。また、図示しないが各作像ユニット２Ｙ,２Ｍ,２Ｃ,２Ｋは、それぞれ、液体現像材を用いた従来周知の画像形成装置と同様に、各感光体３Ｙ,３Ｍ,３Ｃ,３Ｋの周囲に配置された帯電部材、露光装置、液体現像装置、感光体スクイーズ装置、除電装置、および感光体クリーニング装置を備えている。これらの帯電部材、露光装置、液体現像装置、感光体スクイーズ装置、除電装置、および感光体クリーニング装置は、各感光体３Ｙ,３Ｍ,３Ｃ,３Ｋの回転方向に向かってこれらの順に配設されている。各感光体３Ｙ,３Ｍ,３Ｃ,３Ｋには、それぞれ対応する色の静電潜像が形成されるとともに、各静電潜像が各色の液体現像剤で現像されてトナー像が形成される。
【００１３】
また図１に示すように、画像形成装置１は、転写媒体である無端状の中間転写ベルト４を備えている。なお、転写媒体は転写ローラで構成することもできる。以下の説明では、転写媒体が中間転写ベルト４であるとして説明する。
この中間転写ベルト４は図示しないモータの駆動力が伝達されるベルト駆動ローラ５および一対の従動ローラ６,７に張架されている。その場合、ベルト駆動ローラ５と一方の従動ローラ６とは互いに、後述する二次転写装置１４へ搬送されてくる紙等の転写材８の矢印で示す転写材移動方向βに沿って所定間隔を置いて隣接して配設されている。また、ベルト駆動ローラ５と他方の従動ローラ７とは互いに各感光体３Ｙ,３Ｍ,３Ｃ,３Ｋのタンデム配置方向に沿って離間して配設されている。更に、中間転写ベルト４はテンションローラ９によって所定のテンションが付与されている。そして、中間転写ベルト４はベルト駆動ローラ５によって図１に矢印γで示す反時計回りに回転可能に設けられている。
【００１４】
なお、この例の画像形成装置１では、各作像ユニット２Ｙ,２Ｍ,２Ｃ,２Ｋは中間転写ベルト４の回転方向γ上流側（図１において、左側）から色Ｙ、Ｍ、Ｃ、Ｋの順に配設されているが、これらの各色Ｙ、Ｍ、Ｃ、Ｋの配置順は任意に設定することができる。
【００１５】
各感光体３Ｙ,３Ｍ,３Ｃ,３Ｋの周囲には、それぞれ一次転写装置１０Ｙ,１０Ｍ,１０Ｃ,１０Ｋが配設されている。これらの一次転写装置１０Ｙ,１０Ｍ,１０Ｃ,１０Ｋは、それぞれ図示しない感光体スクイーズ装置と除電装置との間に配置される。各一次転写装置１０Ｙ,１０Ｍ,１０Ｃ,１０Ｋは、それぞれ一次転写用の各バックアップローラ１１Ｙ,１１Ｍ,１１Ｃ,１１Ｋを備えている。これらのバックアップローラ１１Ｙ,１１Ｍ,１１Ｃ,１１Ｋによって中間転写ベルト４が各感光体３Ｙ,３Ｍ,３Ｃ,３Ｋに圧接される。
【００１６】
そして、各バックアップローラ１１Ｙ,１１Ｍ,１１Ｃ,１１Ｋは、トナー粒子の帯電極性と逆極性の電荷が印加されることにより、各感光体３Ｙ,３Ｍ,３Ｃ,３Ｋ上の各トナー像がそれぞれ中間転写ベルト４に転写される。その場合、中間転写ベルト４に最初イエロー（Ｙ）のトナー像が転写され、マゼンタ（Ｍ）のトナー像がイエロー（Ｙ）のトナー像に色重ねされて転写される。以後、中間転写ベルト４上にシアン（Ｃ）のトナー像およびブラック（Ｋ）のトナー像がこれらの順に先に転写されたトナー像に色重ねされて転写され、中間転写ベルト４上にフルカラーのトナー像が形成される。
【００１７】
各一次転写装置１０Ｙ,１０Ｍ,１０Ｃ,１０Ｋより中間転写ベルト４の回転方向γ下流側の各一次転写装置１０Ｙ,１０Ｍ,１０Ｃ,１０Ｋの近傍には、それぞれ、中間転写ベルトスクイーズ装置１２Ｙ,１２Ｍ,１２Ｃ,１２Ｋが配設されている。各中間転写ベルトスクイーズ装置１２Ｙ,１２Ｍ,１２Ｃ,１２Ｋは、それぞれ、中間転写ベルトスクイーズローラ１３Ｙ,１３Ｍ,１３Ｃ,１３Ｋを備えている。各中間転写ベルトスクイーズローラ１３Ｙ,１３Ｍ,１３Ｃ,１３Ｋは、それぞれ中間転写ベルト４上の対応する色のキャリア液を回収するものである。
【００１８】
更に、中間転写ベルト４のベルト駆動ローラ５側には二次転写装置１４が設けられている。二次転写装置１４は、互いに転写材移動方向βに沿って所定間隔離間して配置された一対のローラ１５,１６と、ローラ１６に関して転写材移動方向βとほぼ直交する方向に配置されたローラ１７と、これらの３つのローラ１５,１６,１７に掛け渡された転写ベルト１８とを備えている。転写材移動方向βの上流側のローラ１５は、ベルト駆動ローラ５に対向して配置されて転写ベルト１８をベルト駆動ローラ５に巻きかけられた中間転写ベルト４に圧接している。また、転写材移動方向βの下流側のローラ１６は、従動ローラ６に対向して配置されて転写ベルト１８を従動ローラ６に巻きかけられた中間転写ベルト４に圧接している。そして、転写材８が２つのローラ１５,１６間の転写ベルト１８とベルト駆動ローラ５および従動ローラ６間の中間転写ベルト４との間の転写ニップ部に挟圧されかつ転写材移動方向βに沿って移動しながら、中間転写ベルト４のトナー像（液体現像剤像）が転写材８に転写される。したがって、中間転写ベルト４は本発明の転写材移動部材および液体現像剤像担持体も構成している。また、一対のローラ１５,１６は本発明の転写部材を構成している。
【００１９】
なお、図示しないが、この例の画像形成装置１は、二次転写を行う従来の一般的な画像形成装置と同様に、二次転写装置１４より転写材搬送方向上流側に例えば紙等の転写材８を収納する転写材収納装置と、この転写材収納装置からの転写材８を二次転写装置１４へ搬送供給するレジストローラ対とを備えている。この画像形成装置１は、同様に二次転写装置１４より転写材搬送方向下流側に定着装置および排転写材トレイを備えている。図１には、転写材８を二次転写装置１４から定着装置へ搬送するための転写材ベルト搬送装置２７が部分的に示されている。
【００２０】
図１ないし図３に示すように、二次転写装置１４は、その転写ニップ部の終端に隣接して設けられた転写材分離装置１９を備えている。この転写材分離装置１９は、転写材８が中間転写ベルト４から分離する分離位置４ａにエアを吹き付ける転写材分離エア装置２０（本発明の転写材分離ガス装置に相当）と、この転写材分離エア装置２０の両側に配設されかつ転写材分離ブラシからなる弾性を有する可撓性の転写材分離部材２１とを備えている。なお、転写材分離エア装置２０はエア以外のガスを吹き付けるガス吹付け装置を用いることもできる。以下の説明では、転写材分離エア装置２０を用いるものとして説明する。
【００２１】
図３に詳細に示すように、転写材分離エア装置２０は、装置本体内のエアを吸い込んで気流を発生するエアファン２２と、転写材分離部材２１の下方に設けられかつエアファン２２によって発生した気流が流れるエアダクト２３と、このエアダクト２３の先端に設けられたエア吹付け口２４とを備えている。エア吹付け口２４は、転写材８と中間転写ベルト４との分離位置４ａに向かって開口している。したがって、エア吹付け口２４から、気流によるエアがこの分離位置４ａに向かって吹き付けられようになっている（なお、転写材分離エア装置２０によるエアの吹付け方向は、従動ローラ６に巻き掛けられた中間転写ベルト４の円弧状部の分離位置４ａにおける接線方向またはほぼ接線方向となっている）。転写材分離装置１９のエアファン２２は、画像形成装置１の制御装置によって作動制御される。
【００２２】
転写材分離部材２１は可撓性の多数のブラシ毛を有するブラシで構成されており、このブラシは、例えば樹脂系の繊維類で形成することができる。この転写材分離部材２１は、中間転写ベルト４の分離位置４ａまたはこの分離位置４ａより中間転写ベルト４の回転方向γ下流側の近傍位置に離当接可能に設けられている。そして、転写材分離部材２１の先端が、転写材８を中間転写ベルト４から分離する際に中間転写ベルト４に当接されかつ中間転写ベルト４の回転で摺接するようになる。これにより、転写材分離部材２１の先端が、転写ニップ部終端から搬出されてくる転写材８の先端部と中間転写ベルト４との間に進入することで、転写材８の先端部が中間転写ベルト４から分離されるようになっている。その場合、転写材８の先端部は通常転写材の余白部（非画像部）となっているので、転写材分離部材２１が進入しても、転写材の転写画像は転写材分離部材２１によって影響されることはない。
【００２３】
転写材分離装置１９は、転写材分離部材２１を作動するための転写材分離部材作動機構である回転直線運動機構２８を備えている。この回転直線運動機構２８は、円板状のクランク２９と、クランクピン３０と、連結レバー３１と、直線ガイド部材３２と、転写材分離部材支持軸３３とを有している。すなわち、回転直線運動機構２８としてクランク機構が採用されている。
【００２４】
図２および図４に示すように、クランク２９は左右一対設けられているとともに、これらのクランク２９の中心が回転軸３４により連結されている。この回転軸３４は、転写材分離装置１９の本体３５に回転可能に設けられている。その場合、回転軸３４は、左右一対のクランク２９の内側部分が本体３５に回転可能に支持されている。したがって、各クランク２９は一体回転するようになっている。図示しないが、この回転軸３４には適宜の動力伝達機構を介してクランク作動用モータの動力が伝達されるようになっている。
【００２５】
図４に示すように、クランクピン３０も一対設けられている（図４には、一方のクランクピン３０のみが図示されているが、他方のクランクピン３０も右側のクランク２９に左右対称（回転軸３４の中心を通りかつ回転軸３４と直交する直線に関して対称）に設けられている。各クランクピン３０はそれぞれ対応するクランク２９に回転軸３４から偏心して設けられて、各クランク２９と一体回転するようになっている。
【００２６】
更に、図２、図３および図４に示すように、連結レバー３１も一対設けられている。各連結レバー３１の一端部がそれぞれ対応するクランクピン３０に相対回転可能に連結される。
図２および図３に示すように、直線ガイド部材３２も一対設けられており、これらの直線ガイド部材３２は、ともに本体３５に一体に形成されている。各直線ガイド部材３２は、それぞれ直線状のガイド溝３６を有している。（なお、図２に一方のガイド溝３６が図示され、また図３には他方のガイド溝３６が図示されている。）。各ガイド溝３６は、図３において左方から右方に向けて上方となるように若干傾斜して設けられている。これにより、各ガイド溝３６は、分離位置４ａに向くようにされている。
【００２７】
図２、図３および図４に示すように、転写材分離部材支持軸３３は回転軸３４と平行に配置されている。転写材分離部材支持軸３３の両端部は、それぞれ各連結レバー３１の他端部にこれらの他端部を貫通して一体に固定されている。そして、転写材分離部材支持軸３３の各連結レバー３１より外側に突出する突出端部３３ａ,３３ｂは、それぞれ対応するガイド溝３６に摺動可能に嵌合されている。したがって、転写材分離部材支持軸３３は各連結レバー３１と一体に行われる回転運動とガイド溝３６に沿う直線運動との複合運動を行うようになっている。これにより、各連結レバー３１も、他端部がガイド溝３６に沿う直線運動を行うとともに、転写材分離部材支持軸３３を中心に回転運動を行うようになる。
【００２８】
転写材分離部材支持軸３３には、一対の転写材分離部材取付部材３７が各連結レバー３１の内側に位置して一体に固定されている。これらの転写材分離部材取付部材３７には、それぞれ分離ブラシからなる転写材分離部材２１が取り付けられている。したがって、転写材分離部材２１は転写材分離部材支持軸３３の複合運動にともなって、同様に転写材分離部材支持軸３３と一体に回転運動と直線運動とからなる複合運動を行うようになる。また、各転写材分離部材２１はそれぞれ非作動時それらの弾性により直線状に保持されて、それらの先端が対応する連結レバー３１の向きと同じ方向に向くようにして取り付けられる。
【００２９】
なお、図４に示す例の転写材分離部材２１は可撓性のブラシからなるものとしているが、本発明はこれに限定されるものではない。例えば、図５に示すように各転写材分離部材２１はブラシに代えてフィルムで構成することもできる。その場合、分離位置４ａに来た転写材８の先端と中間転写ベルト４との間にフィルムが進入し易くするために、フィルムの先端部を先細りに形成することが好ましい。このフィルムは例えばＰＥＴ等の樹脂フィルムで構成することができる。
【００３０】
図３、図６（ａ）および（ｂ）に示すように、転写材分離部材２１の先端部をクリーニングする分離部材クリーニング装置３８が転写材分離部材２１の上方に設けられている。この分離部材クリーニング装置３８は、一対のクリーニング部材３９と、これらのクリーニング部材３９を支持するクリーニング部材支持部材４０とを備えている。一対のクリーニング部材３９はいずれもスポンジ等の従来公知の柔軟なクリーニング材から形成することができる。各クリーニング部材３９は、それぞれ各転写材分離部材２１に対向するようにしてクリーニング部材支持部材４０に支持されている。
【００３１】
そして、転写材分離部材２１の前述の複合運動により、各転写材分離部材２１の先端部がそれぞれ対応するクリーニング部材３９に撓みながら圧接かつ摺動可能となっている。これらのクリーニング部材３９によって、各転写材分離部材２１の先端部に付着する、残留トナーやちり等の異物が除去されるようになる。
【００３２】
各転写材分離部材２１による転写材８の分離動作について説明する。なお、転写材分離装置１９に一対設けられるクランク２９等の部材は互いに同期して動作することから、以下の説明では、１つの部材の動作として説明する。
図７（ｄ）に示す非作動状態では、連結レバー３１および転写材分離部材２１は、ともに転写材分離部材２１の先端が転写材８と中間転写ベルト４との分離位置４ａの方へ向くように若干傾斜している。このとき、転写材分離部材２１の先端は中間転写ベルト４から離間している。この非作動状態からクランク２９が図７（ｄ）において時計回りに回転すると、クランクピン３０もクランク２９と一体に時計回りに回転する。
【００３３】
そして、クランクピン３０はこの回転で二次転写装置１４の方向（図７（ｄ）において右方；つまり、中間転写ベルト４）へ移動する。すると、クランクピン３０のこの移動で、連結レバー３１も同方向へ移動するとともに、転写材分離部材支持軸３３がガイド溝３６に沿って同方向に移動する。したがって、連結レバー３１は転写材分離部材支持軸３３を中心に図７（ｄ）において時計回りに回転しつつ、右方へ直線移動する。これにより、連結レバー３１および転写材分離部材支持軸３３は前述の複合運動を行う。更に、転写材分離部材２１が連結レバー３１および転写材分離部材支持軸３３と一体に同じく複合運動をするので、転写材分離部材２１の先端は下方に向きつつ、中間転写ベルト４に接近していく。
【００３４】
クランクピン３０が図７（ｄ）に示す位置から時計回りに９０度回転すると、図７（ａ）に示すように連結レバー３１の転写材分離部材支持軸３３回りの回転が最大となる。更に、クランクピン３０が時計回りに回転すると、連結レバー３１および転写材分離部材２１が、右方へ直線運動している転写材分離部材支持軸３３を中心に反時計回りに回転する。したがって、連結レバー３１および転写材分離部材２１は、回転が前述と逆回転の複合運動をする。これにより、転写材分離部材２１の先端が更に中間転写ベルト４に接近しつつ、上方へ起き上がっていく。
【００３５】
クランクピン３０が図７（ａ）に示す位置から時計回りに９０度回転すると、図７（ｂ）に示すように連結レバー３１および転写材分離部材２１が、前述の図７（ｄ）に示す若干傾斜した姿勢と同じ傾斜姿勢となる。また、連結レバー３１および転写材分離部材２１は、ともに最も右方に（中間転写ベルト４側）に移動した位置となっている。このときには、転写材分離部材２１の先端は中間転写ベルト４に、分離位置４ａまたは分離位置４ａより中間転写ベルト４の回転方向γ下流側の近傍位置で当接する。これにより、転写材分離部材２１の先端が中間転写ベルト４とともに移動してくる転写材８の先端と中間転写ベルト４との間に進入して、転写材８の先端を中間転写ベルト４から分離する。
【００３６】
クランクピン３０が図７（ｂ）に示す位置から更に時計回りに回転すると、連結レバー３１および転写材分離部材２１は更に反時計回りに回転する。一方、クランクピン３０はこの回転で二次転写装置１４から遠ざかる方向（図７（ｂ）において左方）へ移動する。すると、クランクピン３０のこの移動で、転写材分離部材支持軸３３がガイド溝３６に沿って同左方向に移動する。したがって、連結レバー３１および転写材分離部材２１は前述の複合運動を行う（直線に同方向は、逆になる）。これにより、転写材分離部材２１の先端は上方に移動しつつ、中間転写ベルト４から遠ざかっていく。
【００３７】
このとき、クランクピン３０における図７（ｂ）に示す位置からの時計回りの回転では、クランクピン３０は、最初下方への移動が大きく、左方への移動が小さい。したがって、転写材分離部材２１の先端も最初上方への移動が大きく、左方への移動が小さい。このため、図６（ａ）に示すように分離した転写材８の先端部が、転写材分離部材２１の先端によって持ち上げられて中間転写ベルト４から大きく分離される。これにより、転写材８の先端部は次の搬送位置である転写材ベルト搬送装置２７の方へ、より効果的に移動される。
【００３８】
クランクピン３０が図６（ａ）に示す位置から更に時計回りに回転すると、図６（ｂ）に示すように転写材分離部材２１の先端部がクリーニング部材３９に圧接して撓みかつ左方へ摺動する。このクリーニング部材３９によって、各転写材分離部材２１の先端部に付着する、残留トナーやちり等の異物が除去されるようになる。この転写材分離部材２１の先端部における圧接および摺動に相前後して、転写材分離部材２１の先端が転写材８の先端部から離間する。このときには、転写材８の先端部はその全体が中間転写ベルト４から既に分離されて転写材ベルト搬送装置２７に導かれる。なお、転写材分離エア装置２０からのエアの転写材８への吹付けによっても転写材８の先端部が中間転写ベルト４から分離されるので、より一層確実に分離されて転写材ベルト搬送装置２７に導かれる。
【００３９】
クランクピン３０が図７（ｂ）に示す位置から時計回りに４５度以上回転すると、クランクピン３０は、下方への移動が次第に小さくなり、また左方への移動が次第に大きくなる。したがって、転写材分離部材２１の先端部はクリーニング部材３９により長く圧接し摺動するようになる。これにより、転写材分離部材２１の先端部がクリーニング部材３９により効率よくクリーニングされる。
【００４０】
クランクピン３０が図７（ｂ）に示す位置から時計回りに９０度回転すると、図７（ｃ）に示すように連結レバー３１および転写材分離部材２１の転写材分離部材支持軸３３を中心とする時計回りの回転が最大となる。したがって、転写材分離部材２１の先端部はクリーニング部材３９に最も圧接された状態となる（つまり、図７（ｃ）には図示されないが、転写材分離部材２１は最大に撓んだ状態となる）。
【００４１】
クランクピン３０が、図７（ｃ）に示す位置から更に時計回りに回転すると、連結レバー３１および転写材分離部材２１が転写材分離部材支持軸３３を中心に時計回りに回転する。したがって、転写材分離部材支持軸３３、連結レバー３１、および転写材分離部材２１は、回転が逆の時計回りの回転である複合運動をする。これにより、転写材分離部材２１の先端が更に中間転写ベルト４から離間しつつ、下方へひれ伏していく。したがって、転写材分離部材２１の先端部がクリーニング部材３９への圧接を次第に弱めつつ、クリーニング部材３９に対して左方へ摺動する。
【００４２】
クランクピン３０が図７（ｃ）に示す位置から更に時計回りに所定量回転すると、転写材分離部材２１の先端部がクリーニング部材３９から離間して転写材分離部材２１の撓みが解消し、転写材分離部材２１がその弾性により初期の直線状態となる。これにより、クリーニング部材３９による転写材分離部材２１の先端部のクリーニングが終了する。
クランクピン３０が図７（ｃ）に示す位置から更に９０度回転すると、図７（ｄ）に示す連結レバー３１および転写材分離部材２１が若干傾斜した初期の非作動位置となる。
【００４３】
このように、クランク２９（つまり、クランクピン３０）が時計回りに回転することで、転写材分離部材２１の先端は下方へ向きつつ中間転写ベルト４の方へ接近した後、下から上方へ向きつつ、転写材８と中間転写ベルト４との分離位置４ａまたは分離位置４ａの中間転写ベルト４回転方向下流側の近傍に当接し、更に上方へ向きつつ中間転写ベルト４から上方にかつ左方へ遠ざかる方向に移動し、最後に初期位置に戻る複合運動を行う。
【００４４】
そして、転写ニップ部から搬出された転写材８の先端が分離位置４ａあるいは分離位置４ａより中間転写ベルト４の回転方向γ下流近傍の所定位置に来る直前に、転写材分離部材２１の先端が図７（ｂ）に示す中間転写ベルト４に当接する位置となるように、転写材分離装置１９のクランク作動用モータが画像形成装置１の制御装置（不図示）により制御される。これにより、転写材分離部材２１の先端は、移動してくる転写材８の先端部と中間転写ベルト４との間に進入して転写材８の先端部を中間転写ベルト４から分離する。次いで、転写材分離部材２１の先端は、図６（ａ）に示すように上方へ起き上がっていくことで、分離された転写材８の先端部を転写材ベルト搬送装置２７の方へ向ける。こうして、転写材分離装置１９は、転写材分離部材２１の一連の複合運動で、転写材８の先端部を中間転写ベルト４から分離して転写材ベルト搬送装置２７の方へ効果的に誘導するようになる。
【００４５】
このように構成された転写材分離装置１９を備えたこの例の画像形成装置１によれば、転写材分離部材２１の先端部を、分離位置４ａに到達した転写材８の先端部と中間転写ベルト４との間に進入させる。この転写材分離部材２１の進入により、転写材８の先端部を中間転写ベルト４から確実に分離することができる。特に、分離し難い転写材８であってもより確実に分離することができるようになる。したがって、転写材８が中間転写ベルト４とともに移動するのを防止でき、転写材８を次の搬送位置である転写材ベルト搬送装置２７の方へ確実に移動させることができる。
【００４６】
更に、転写材分離部材２１の先端が回転直線運動機構２８により、回転運動と直線運動との複合運動を行うようにしているので、転写材分離部材２１による転写材８の分離をより効果的に行うことができる。特に、この複合運動により、転写材先端が分離位置４ａに到達した時点では転写材分離部材２１の先端がすでに中間転写ベルト４に接触して、転写材８の先端の分離を確実に開始可能とし、転写材８の先端の分離後では、転写材８の先端部が中間転写ベルト４から上方に大きく離れて転写材ベルト搬送装置２７の方へガイドされるように分離動作を行うので、転写材８を中間転写ベルト４からより確実に分離して、転写材ベルト搬送装置２７の方へより効果的に導くことができる。
【００４７】
更に、転写材８の先端部の分離後に、各転写材分離部材２１の先端が回転直線運動機構２８により各クリーニング部材３９に圧接かつ摺動させているので、各クリーニング部材３９によって、各転写材分離部材２１の先端部に付着する残留トナーやちり等の異物を、各転写材分離部材２１の一連の分離動作によって自動的に除去することができる。これにより、各転写材分離部材２１による転写材８の分離を長期にわたって確実に行うことができる。特に、各転写材分離部材２１をクランク機構によって作動しているので、転写材８の分離および各転写材分離部材２１の先端部のクリーニングをより効率よく行うことができる。
【００４８】
更に、転写材分離エア装置２０により気流を発生させてエア吹付け口２４からエアを分離位置４ａに向かって吹き付けるようにしているので、この吹付けエアによっても、転写材８を分離させることができる。これにより、前述の転写材分離部材２１による転写材８の分離効果と相俟って、より効果的に転写材８の先端部を分離することができる。
【００４９】
なお、転写材分離装置１９は、搬送されてくる転写材８の左右方向（搬送方向と直交する方向）中心に位置するように配置することもできるし、所定数を転写材８の左右方向に所定の間隔をおいて配置することもできる。所定数の転写材分離装置１９を設ける場合には、転写材分離装置１９を転写材８の左右方向中心に関して左右対称に配置することが転写材８の分離を効果的に行ううえで好ましい。
また、前述の実施の形態の例では、転写材分離装置１９の転写材分離エア装置２０と転写材分離部材２１とを一体的に設けるものとしているが、転写材分離エア装置２０と転写材分離部材２１とは分離して設けることもできる。
【００５０】
更に、本発明は、例えば中間転写ベルト４を備えず、各感光体３Ｙ,３Ｍ,３Ｃ,３Ｋつまり潜像担持体のトナー像が直接転写材８に転写される、液体現像剤を用いた画像形成装置にも適用することができる。その場合には、転写材分離装置は転写材を潜像担持体から分離するようになる。したがって、この場合の潜像担持体は本発明の転写材移動部材および液体現像剤像担持体を構成する。また、潜像担持体に転写材を圧接させるバックアップローラ（前述の例のバックアップローラ１１Ｙ,１１Ｍ,１１Ｃ,１１Ｋに相当）が本発明の転写部材を構成する。
また、本発明は、４サイクルの画像形成装置にも適用することができる。更に、本発明は単色の液体現像剤を用いた画像形成装置にも適用することができる。
【００５１】
更に、本発明の転写材分離装置は転写ニップ部から排出される転写材の分離に限定されることなく、定着装置の定着ニップ部から排出される転写材の定着部材（定着ローラ等）からの分離にも適用することができる。この場合には、転写材分離装置は定着ニップ部の終端より、転写材搬送方向下流側の近傍に設けられる。
要は、転写材搬送装置から転写材を分離する装置であれば、本発明は、特許請求の範囲に記載された事項の範囲内でどのような転写材分離装置にも適用することができる。
【図面の簡単な説明】
【００５２】
【図１】本発明にかかる転写材分離装置を備えた画像形成装置の実施の形態の一例を模式的にかつ部分的に示す図である。
【図２】図１に示す例の転写材分離装置の部分斜視図である。
【図３】図１におけるIII部の部分拡大図である。
【図４】図１に示す例の転写材分離装置の転写材分離部材の一例を示す斜視図である。
【図５】図１に示す例の転写材分離装置の転写材分離部材の他の一例を示す斜視図である。
【図６】（ａ）は図４に示す例の転写材分離部材の作動の一状態を示す図、（ｂ）は図４に示す例の転写材分離部材の作動の他の一状態を示す図である。
【図７】（ａ）ないし（ｄ）は図４に示す例の転写材分離部材の一連の作動を説明する図である。
【符号の説明】
【００５３】
１…画像形成装置、２Ｙ,２Ｍ,２Ｃ,２Ｋ…作像ユニット、３Ｙ,３Ｍ,３Ｃ,３Ｋ…感光体、４…中間転写ベルト、４ａ…分離位置、８…転写材、１０Ｙ,１０Ｍ,１０Ｃ,１０Ｋ…一次転写装置、１４…二次転写装置、１８…転写ベルト、１９…転写材分離装置、２０…転写材分離ガス装置、２１…転写材分離部材、２２…エアファン、２３…エアダクト、２４…エア吹付け口、２７…転写材ベルト搬送装置、２８…回転直線運動機構、２９…クランク、３０…クランクピン、３１…連結レバー、３２…直線ガイド部材、３３…転写材分離部材支持軸３３、３４…回転軸、３６…ガイド溝、３７…転写材分離部材取付部材、３８…分離部材クリーニング装置、３９…クリーニング部材、４０…クリーニング部材支持部材
【図１】
2009175590.tif 000003
【図２】
2009175590.tif 000004
【図３】
2009175590.tif 000005
【図４】
2009175590.tif 000006
【図５】
2009175590.tif 000007
【図６】
2009175590.tif 000008
【図７】
2009175590.tif 000009